(57)【要約】【課題】操作ツマミにレンズ又はカメラ本体の所定の操作を行う操作部材を設けることにより、操作性を向上させることができるテレビカメラを提供することを目的とする。【解決手段】操作ツマミ２４にＡＦボタン２６を設ける。ＡＦボタン２６の押下に基づく操作信号は、スリップリング４８から通信ケーブル５６を介してズームレンズ装置１４に送信される。【選択図】      図２
2006071901.tif 000002
【特許請求の範囲】
【請求項１】
先端に操作ツマミを備えた操作棒の押し引き操作によってカメラ本体に設けられたレンズのズームを操作し、回転操作によって前記レンズのフォーカスを操作する１軸２操作式操作棒を有するテレビカメラにおいて、
前記操作ツマミに前記レンズ又は前記カメラ本体の所定の操作を行う操作部材を設けたことを特徴とするテレビカメラ。
【請求項２】
前記操作部材から出力される制御信号を前記操作棒の外周に回転自在に設けられたスリップリングを介して有線で前記レンズ又は前記カメラ本体の制御部に送信することを特徴とする請求項１に記載のテレビカメラ。
【請求項３】
前記操作部材から出力される制御信号を前記レンズ又は前記カメラ本体の制御部に無線で送信する無線通信手段を備えたことを特徴とする請求項１に記載のテレビカメラ。
【請求項４】
前記操作部材は、前記操作ツマミのほぼ回転中心部に配置されていることを特徴とする請求項１に記載のテレビカメラ。
【請求項５】
前記操作部材は、オートフォーカスを実行するための部材であることを特徴とする請求項１又は４に記載のテレビカメラ。
【発明の詳細な説明】
【技術分野】
【０００１】
本発明は、テレビカメラに係り、特に操作棒の押し引き操作によってレンズのズームを操作し、回転操作によって前記レンズのフォーカスを操作する１軸２操作式操作棒を有するテレビカメラに関する。
【背景技術】
【０００２】
１軸２操作方式にてレンズ操作を行うテレビカメラでは、レンズ本体から延設された操作棒の押し引きでズーム操作を行い、回転でフォーカス操作を行う（たとえば、特許文献１）。このような１軸２操作方式によるレンズ操作は、操作棒の押し引き位置によってズーム位置の見当がつき、また、迅速なズーム操作が可能であるためスポーツ中継のように瞬時の画角調整が要求される撮影で多く用いられている。
【特許文献１】特開２０００−２０９４８１号公報
【発明の開示】
【発明が解決しようとする課題】
【０００３】
ところで、このような１軸２操作方式でレンズ操作を行うテレビカメラにおいて、ズームやフォーカスの操作中に他の操作、たとえばＡＦ（オートフォーカス）やリターン（ビューファインダ上にオンエア画像を映すか、自分のカメラの画像を映すかの切り替え）などの操作を行おうとした場合、それらの操作部材が操作棒から離れた位置にあったため、カメラマンは一旦操作棒から手を離して、それらの操作部材を操作しなければならなかった。このため迅速な操作を行うことができないという欠点があった。
【０００４】
本発明はこのような事情に鑑みてなされたもので、操作性を向上させることができるテレビカメラを提供することを目的とする。
【課題を解決するための手段】
【０００５】
請求項１に係る発明は、前記目的を達成するために、先端に操作ツマミを備えた操作棒の押し引き操作によってカメラ本体に設けられたレンズのズームを操作し、回転操作によって前記レンズのフォーカスを操作する１軸２操作式操作棒を有するテレビカメラにおいて、前記操作ツマミに前記レンズ又は前記カメラ本体の所定の操作を行う操作部材を設けたことを特徴とするテレビカメラを提供する。
【０００６】
本発明によれば、操作ツマミにレンズ又はカメラ本体の所定の操作を行う操作部材が設けられている。これにより、操作ツマミを把持したまま、レンズ又はカメラ本体の所定の操作を行うことができるようになり、操作性が向上する。
【０００７】
また、請求項２に係る発明は、前記目的を達成するために、前記操作部材から出力される制御信号を前記操作棒の外周に回転自在に設けられたスリップリングを介して有線で前記レンズ又は前記カメラ本体の制御部に送信することを特徴とする請求項１に記載のテレビカメラを提供する。
【０００８】
本発明によれば、操作部材から出力される制御信号が、操作棒の外周に回転自在に設けられたスリップリングを介して有線でレンズ又はカメラ本体の制御部に送信される。これにより、操作棒を回転操作しても、ケーブルが操作棒に巻き付くことなく操作することができる。
【０００９】
また、請求項３に係る発明は、前記目的を達成するために、前記操作部材から出力される制御信号を前記レンズ又は前記カメラ本体の制御部に無線で送信する無線通信手段を備えたことを特徴とする請求項１に記載のテレビカメラを提供する。
【００１０】
本発明によれば、操作部材から出力される制御信号が、無線通信手段によってレンズ又はカメラ本体の制御部に無線で送信される。これにより、操作棒を回転操作しても、ケーブルが操作棒に巻き付くことなく操作することができる。
【００１１】
また、請求項４に係る発明は、前記目的を達成するために、前記操作部材は、前記操作ツマミのほぼ回転中心部に配置されていることを特徴とする請求項１に記載のテレビカメラを提供する。
【００１２】
本発明によれば、操作部材が操作ツマミのほぼ回転中心部に配置される。これにより、操作ツマミを回転操作した場合であっても、常に一定位置に操作ボタンが配置され、操作性が向上する。
【００１３】
また、請求項５に係る発明は、前記目的を達成するために、前記操作部材は、オートフォーカスを実行するための部材であることを特徴とする請求項１又は４に記載のテレビカメラを提供する。
【００１４】
本発明によれば、操作ツマミに設けられた操作部材が、オートフォーカスを実行するための操作部材として使用される。
【発明の効果】
【００１５】
本発明によれば、操作ツマミにレンズ又はカメラ本体の所定の操作を行う操作部材を設けることにより、操作性を向上させることができる。
【発明を実施するための最良の形態】
【００１６】
以下、添付図面に従って本発明に係るテレビカメラを実施するための最良の形態について詳説する。
【００１７】
図１は、本発明に係るテレビカメラの第１の実施の形態を示す斜視図である。同図に示すように、テレビカメラ１０は、主としてカメラ本体１２と、そのカメラ本体１２に装着されるズームレンズ装置１４とで構成されている。
【００１８】
カメラ本体１２は、雲台１６に設置されており、上部にビューファインダ１８を備えている。
【００１９】
ズームレンズ装置１４は、カメラ本体１２の正面部に装着される。このズームレンズ装置１４の背面側（カメラ本体１２に装着される面）には、ズームレンズ装置１４のズームとフォーカスを操作する操作棒２０が設置されている。
【００２０】
操作棒２０は、カメラ本体１２に形成された操作棒挿通孔２２を通してカメラ本体１２の背面側に延設されており、先端に操作ツマミ２４を備えている。カメラマンは、この操作棒２０の操作ツマミ２４を把持して操作棒２０を押し引き操作することにより、ズームレンズ装置１４のズームを操作することができ、操作ツマミ２４を回転操作して、操作棒２０を回転させることにより、ズームレンズ装置１４のフォーカスを操作することができる。
【００２１】
また、この操作棒２０の操作ツマミ２４を回転させたときのほぼ回転中心には、ＡＦボタン２６が設けられており、このＡＦボタン２６をカメラマンが押圧操作することにより、ズームレンズ装置１４のＡＦが作動する。以下、このＡＦボタン２６の構成について説明する。
【００２２】
図２は、操作ツマミ２４の側面断面図である。同図に示すように、操作ツマミ２４の中央には、取付穴２８が形成されており、この取付穴２８にＡＦボタン２６が取り付けられている。
【００２３】
一方、操作棒２０は、先端に中空状の拡径部３０が形成されている。拡径部３０の先端部外周にはフランジ３２が形成されている。操作ツマミ２４は、このフランジ３２に図示しないネジでネジ止めされている。
【００２４】
また、拡径部３０の外周には溝部３４が形成されている。溝部３４には、絶縁筒３６を介して一対の集電環３８ａ、３８ｂと、その集電環同士を絶縁する絶縁環４０、４０、４０とが嵌合されている。ＡＦボタン２６から延びる一対のリード線４４ａ、４４ｂは、この溝部３４に設けられた一対の集電環３８ａ、３８ｂに接続されている。
【００２５】
また、操作棒２０の拡径部３０の外周には、一対のベアリング４６、４６を介してスリップリング４８が回動自在に設けられている。
【００２６】
スリップリング４８は、その内周部に前記集電環３８ａ、３８ｂに接触する一対の刷子５０ａ、５０ｂを備えている。この刷子５０ａ、５０ｂは、スリップリング４８の外周に設けられたジャック５２にリード線５４ａ、５４ｂを介して接続されている。
【００２７】
ジャック５２には、通信ケーブル５６の一端に設けられたプラグ５６ａが接続され、この通信ケーブル５６の他端に設けられたプラグ５６ｂは、ズームレンズ装置１４に設けられたジャック５８に接続される。これにより、ＡＦボタン２６から出力される操作信号をズームレンズ装置１４に出力することが可能になる。
【００２８】
ＡＦボタン２６から出力された操作信号はジャック５８を介してレンズ制御部６０に入力され、レンズ制御部６０は、このＡＦボタン２６からの操作信号に応じてズームレンズ装置１４のＡＦ制御を実施する。
【００２９】
なお、ジャック５２の両脇に設けられた部材６２、６２は、バランサ（錘）であり、フォーカス操作時に操作ツマミ２４を回転させても、スリップリング４８が共回りして、ケーブル５６が邪魔にならないように、ジャック５２が常に鉛直方向下向きに向くように作用する。
【００３０】
また、操作棒２０は、ズームレンズ装置１４に対して着脱自在に設けられており、ズームレンズ装置１４の内部に設けられた継手６４に接続されて、ズームレンズ装置１４に装着される。
【００３１】
前記のごとく構成された本実施の形態のテレビカメラ１０の作用は、次のとおりである。
【００３２】
操作ツマミ２４に設けられたＡＦボタン２６でズームレンズ装置１４のＡＦ操作を行う場合、まず、スリップリング４８に設けられたジャック５２に通信ケーブル５６の一方のプラグ５６ａを接続し、他方のプラグ５６ｂをズームレンズ装置１４に設けられたジャック５８に接続する。これにより、操作ツマミ２４に設けられたＡＦボタン２６を用いたズームレンズ装置１４のＡＦ操作が可能になる。
【００３３】
操作ツマミ２４に設けられたＡＦボタン２６をカメラマンが押圧操作すると、スリップリング４８から通信ケーブル５６を介してズームレンズ装置１４のレンズ制御部６０に入力される。レンズ制御部６０は、このＡＦボタン２６からの操作信号に応じてズームレンズ装置１４のＡＦ制御を実行する。
【００３４】
このように、本実施の形態のテレビカメラ１０によれば、操作ツマミ２４を把持したまま、ＡＦボタン２６の操作を行うことができ、ズーム操作やフォーカス操作をしながらＡＦ操作を行うことができる。これにより、操作性が向上する。
【００３５】
また、回転操作される操作ツマミ２４に対してＡＦボタン２６の操作信号をスリップリング４８を介してズームレンズ装置１４に出力することにより、通信ケーブル５６を操作棒２０に巻き付かせることなく、操作ツマミ２４を操作することができる。
【００３６】
なお、本実施の形態では、操作ツマミ２４にＡＦボタン２６を設ける場合を例に説明したが、操作ツマミ２４に設ける操作部材は、これに限定されるものではない。たとえば、ＡＦボタン２６に代えてリターンスイッチを設けるようにしてもよい。
【００３７】
また、本実施の形態では、操作部材として押圧式のボタンを操作ツマミ２４に設けているが、操作部材は、これに限定されるものではない。たとえば、押圧式のボタンに代えてタッチセンサ、あるいはボリュームを設けてもよい。
【００３８】
また、本実施の形態では、操作ツマミ２４にＡＦボタンのみを設置しているが、複数の操作部材を設けてもよい。また、その設置位置も操作ツマミ２４の回転中心部に限らず、他の位置に設置するようにしてもよい。なお、操作ツマミ２４の回転中心部に配置した場合は、操作ツマミ２４を回転操作した場合であっても、常に一定位置に操作ボタンが配置され、操作性が向上する。
【００３９】
次に、本発明に係るテレビカメラの第２の実施の形態について説明する。
【００４０】
上述した第１の実施の形態のテレビカメラでは、ＡＦボタンからの操作信号を有線でズームレンズ装置に送信しているが、本実施の形態のテレビカメラでは、無線でズームレンズ装置に送信する。なお、この点以外の構成は、上述した第１の実施の形態のテレビカメラと同じなので、以下においては、ＡＦボタンの信号伝達に係わる部分についてのみ説明する。
【００４１】
図３は第２の実施の形態のテレビカメラに設けられる操作ツマミ７０の側面断面図である。
【００４２】
同図に示すように、操作棒２０の先端には、円盤状に形成された操作ツマミ取付部７２が設けられている。操作ツマミ７０は、この操作ツマミ取付部７２に図示しないネジでネジ止めされている。
【００４３】
操作ツマミ７０は、中空状に形成されており、その表側の中央に取付穴７４が形成されている。ＡＦボタン７６は、この取付穴７４に取り付けられている。
【００４４】
操作ツマミ７０の裏側には、通信ユニット７８が取り付けられており、通信ユニット７８は、制御基板８０による制御の下、ズームレンズ装置１４に設けられた通信ユニット８２との間で赤外線通信にて信号の送受信を行う。
【００４５】
制御基板８０は、操作ツマミ７０に内蔵されており、通信ユニット７８の通信制御を行う。すなわち、ＡＦボタン７６の押下に応じて通信ユニット７８を制御し、ズームレンズ装置側の通信ユニット８２に向けてＡＦボタン７６の押下に基づく操作信号を送信させる。ズームレンズ装置側の通信ユニット８２は、この操作ツマミ側の通信ユニット７８から送信された操作信号を受信し、受信した操作信号をレンズ制御部６０に出力する。レンズ制御部６０は、この通信ユニット８２で受信された操作信号に応じてズームレンズ装置１４のＡＦ制御を実施する。
【００４６】
また、制御基板８０は、バッテリー８４からの電源供給制御等を行う。バッテリー８４は、操作ツマミ７０に設けられたバッテリー室８６に装填されており、バッテリー室８６は、操作ツマミ７０の裏面に設けられたバッテリーカバー８８によって開閉自在に設けられている。
【００４７】
前記のごとく構成された本実施の形態のテレビカメラ１０の作用は、次のとおりである。
【００４８】
操作ツマミ２４に設けられたＡＦボタン７６をカメラマンが押圧操作すると、その操作信号が制御基板８０に入力される。制御基板８０は、その操作信号の入力に応じて通信ユニット７８を制御し、ＡＦボタン７６の押下に基づく操作信号をズームレンズ装置側の通信ユニット８２に送信させる。
【００４９】
ズームレンズ装置側の通信ユニット８２は、この操作ツマミ側の通信ユニット７８から送信された操作信号を受信し、受信した操作信号をレンズ制御部６０に出力する。レンズ制御部６０は、この通信ユニット８２で受信された操作信号に応じてズームレンズ装置１４のＡＦ制御を実施する。
【００５０】
このように、本実施の形態のテレビカメラによれば、上述した第１の実施の形態のテレビカメラと同様に操作ツマミ７０を把持したまま、ＡＦボタン７６の操作を行うことができ、ズーム操作やフォーカス操作をしながらＡＦ操作を行うことができる。これにより、操作性が向上する。
【００５１】
また、回転操作される操作ツマミ７０に対してＡＦボタン７６の操作信号を無線でズームレンズ装置１４に出力するので、通信ケーブルが操作棒２０に巻き付くこともない。
【００５２】
なお、本実施の形態では、操作ツマミ７０にＡＦボタン７６を設ける場合を例に説明したが、上述した第１の実施の形態と同様に操作ツマミ７０に設ける操作部材は、これに限定されるものではない。また、上述した第１の実施の形態と同様に押圧式のボタンに代えてタッチセンサ、あるいはボリュームを設けてもよい。さらに、複数の操作部材を操作ツマミに設けてもよく、また、その設置位置も操作ツマミの回転中心部に限らず、他の位置に設置するようにしてもよい。
【００５３】
また、本実施の形態では、通信ユニットの通信方式として赤外線通信を用いているが、通信ユニットの通信方式は、これに限定されるものではなく、たとえば、電波やＢｌｕｅｔｏｏｔｈ等の通信方式を用いてもよい。
【００５４】
さらに、本実施の形態では、電源に交換可能なバッテリー（一次電池）を用いているが、充電可能なバッテリー（二次電池）と、その充電手段を操作ツマミに内蔵し、充電して使用するようにしてもよい。
【図面の簡単な説明】
【００５５】
【図１】本発明に係るテレビカメラの第１の実施の形態を示す斜視図
【図２】操作ツマミの側面断面図
【図３】第２の実施の形態のテレビカメラに設けられる操作ツマミの側面断面図
【符号の説明】
【００５６】
１０…テレビカメラ、１２…カメラ本体、１４…ズームレンズ装置、１６…雲台、１８…ビューファインダ、２０…操作棒、２２…操作棒挿通孔、２４…操作ツマミ、２６…ＡＦボタン、２８…取付穴、３０…拡径部、３２…フランジ、３４…溝部、３６…絶縁筒、３８ａ、３８ｂ…集電環、４０…絶縁環、４４ａ、４４ｂ…リード線、４６…ベアリング、４８…スリップリング、５０ａ、５０ｂ…刷子、５２…ジャック、５４ａ、５４ｂ…リード線、５６…通信ケーブル、５６ａ、５６ｂ…プラグ、５８…ジャック、６０…レンズ制御部、６２…バランサ（錘）、６４…継手、７０…操作ツマミ、７２…操作ツマミ取付部、７４…取付穴、７６…ＡＦボタン、７８…通信ユニット、８０…制御基板、８２…通信ユニット、８４…バッテリー、８６…バッテリー室、８８…バッテリーカバー
【図１】
2006071901.tif 000003
【図２】
2006071901.tif 000004
【図３】
2006071901.tif 000005